(57)【要約】【課題】本発明はシャツ巻き器を開示した。【解決手段】置き板を含み、シャツを折り畳む時、モータを始動し、動力ロッドと第一ギヤとを回転連動させ、ラックを左右に移動させ、ラックが左右に移動して折畳ロッドを回転連動させ、折畳ロッドが回転して固定板を回転連動させてシャツの袖を折り畳み、折畳機構はシャツの袖を折り畳むことができ、シャツを巻く時にシャツの袖を一緒に巻くことを保証でき、巻き終わる後に袖を改めて整理する必要はなく、伸縮機構は折畳板の伸縮する長さを調整でき、それにより異なる長さの袖のシャツに対応することができる。【選択図】図１
2020153049.tif 000002
【特許請求の範囲】
【請求項１】
置き板を含み、前記置き板の前側端面には前方に開口した第一ばねチャンバが設置され、前記第一ばねチャンバの中には連結ブロックがスライドできるように係合装着され、前記連結ブロックの後側端面と前記第一ばねチャンバの後側内壁との間には第一ばねが固定的に装着され、前記連結ブロックの前側端面にはシャツを巻き上げることができる割竹が固定的に装着され、前記置き板の左右両側端面にはリミット板が固定的に装着され、左側の前記リミット板の頂部端面には固定ブロックが固定的に装着され、右側の前記リミット板の中には上方に開口した置きチャンバが設置され、前記置きチャンバの中には定位板がスライドできるように装着され、前記置きチャンバの前後両側内壁には補助チャンバが連通して設置され、前後の前記補助チャンバの間には補助ロッドがスライドできるように係合装着され、前記補助ロッドと前記定位板とが固定的に連結され、前記定位板の左側端面には植え込みブロックが回転できるように装着され、前記固定ブロックの中には巻きロッドが回転できるように装着され、前記巻きロッドの左側端面にはクランクハンドルが固定的に装着され、前記巻きロッドの右側端面の中には右方に開口した挿入溝が設置され、前記挿入溝と前記植え込みブロックとが植え込むように係合され、シャツを巻く時、前記割竹によりシャツを前記巻きロッドに巻き付けることができ、前記クランクハンドルを回転させ、前記巻きロッドを回転連動させ、それによりシャツが巻き上げられ、前記定位板を抜き出した後に前記置きチャンバの中に置き、シャツを取り出せ、前記置き板の下方にはシャツの袖を折り畳むことができる折畳機構が設置され、前記折畳機構は前記置き板の下方に設置されるモータ箱を含み、前記モータ箱の中にはモータチャンバが設置され、前記モータチャンバの中には折り畳むことに動力を提供するモータが置いてあり、前記置き板の左右両側には長さを調節でき、長袖や半袖に対応できる伸縮機構が設置されることを特徴とするシャツ巻き器。
【請求項２】
前記折畳機構はまた前記モータチャンバの上方に連通して設置される移動溝を含み、前記移動溝の中にはラックがスライドできるように装着され、前記移動溝の上下両側にはスライド溝が連通して設置され、前記スライド溝の中にはスライドロッドが左右対称的にスライドできるように装着され、左右の前記スライドロッドと前記ラックとが固定的に装着され、前記モータの上向きの出力軸の頂部端面には動力ロッドが固定的に装着され、前記動力ロッドの頂部端面には第一ギヤが固定的に装着され、前記第一ギヤが前記ラックと噛み合い、前記リミット板の底部端面の中には前記移動溝の頂壁を貫通する折畳ロッドが回転できるように装着され、前記折畳ロッドの底部端面には第二ギヤが固定的に装着され、前記第二ギヤが前記ラックと噛み合い、前記折畳ロッドには固定板が固定的に装着され、前記固定板の中には回転チャンバが設置され、前記置き板の左右両側端面には回転板が固定的に装着され、前記回転板と前記折畳ロッドとが回転できるように係合装着され、それによりシャツを折り畳む時、モータを始動し、動力ロッドと第一ギヤとを回転連動させ、第一ギヤが噛み合いによりラックを左右に移動させ、ラックが左右に移動して第二ギヤを回転連動させ、第二ギヤが回転して折畳ロッドを回転連動させ、折畳ロッドが回転して固定板を回転連動させてシャツの袖を折り畳むことを特徴とする請求項１に記載のシャツ巻き器。
【請求項３】
前記伸縮機構は前記固定板の中に設置される伸縮溝を含み、前記伸縮溝の中には折畳板がスライドできるように係合装着され、前記折畳板の頂部端面には引っ掛かり溝が設置され、前記伸縮溝の頂壁には第二ばねチャンバが連通して設置され、前記第二ばねチャンバの中にはリミットブロックがスライドできるように係合装着され、前記リミットブロックの頂部端面と前記第二ばねチャンバの頂壁との間には第二ばねが固定的に装着され、前記リミットブロックには前記固定板の頂部端面を貫通する引っ掛かりブロックが固定的に装着され、前記引っ掛かりブロックと前記固定板とがスライドできるように係合装着され、前記引っ掛かりブロックの頂部端面には引きブロックが固定的に装着され、前記引っ掛かりブロックが前記引っ掛かり溝に引っ掛かることができ、それにより折畳板の伸縮する長さを調整する時、引きブロックを引き、それにより引っ掛かりブロックが引っ掛かり溝から離脱し、折畳板を引き動かし、伸縮する長さを調整することを特徴とする請求項１に記載のシャツ巻き器。
【発明の詳細な説明】
【技術分野】
【０００１】
本発明は巻き器技術分野に関わり、具体的にはシャツ巻き器である。
【背景技術】
【０００２】
旅行する時、携帯に便利なため、普通にシャツを巻いて入れ、スベースを節約でき、普通のシャツ巻き器はシャツを折り畳むだけで、シャツの袖を折り畳むことができなく、そのため、巻いた後のシャツの袖を整理する必要があり、普通の折り畳む機能を持つシャツ巻き器は折畳板の長さを調整できないので、長袖のシャツと半袖のシャツに対応できない。
【先行技術文献】
【特許文献】
【０００３】
【特許文献１】中国特許出願公開第１０９３０３３６６号明細書
【発明の概要】
【発明が解決しようとする課題】
【０００４】
本発明はシャツ巻き器を提供し、既存技術にある上記の欠点を解消することを目的とする。
【課題を解決するための手段】
【０００５】
本発明の実施例のシャツ巻き器は、置き板を含み、前記置き板の前側端面には前方に開口した第一ばねチャンバが設置され、前記第一ばねチャンバの中には連結ブロックがスライドできるように係合装着され、前記連結ブロックの後側端面と前記第一ばねチャンバの後側内壁との間には第一ばねが固定的に装着され、前記連結ブロックの前側端面にはシャツを巻き上げることができる割竹が固定的に装着され、前記置き板の左右両側端面にはリミット板が固定的に装着され、左側の前記リミット板の頂部端面には固定ブロックが固定的に装着され、右側の前記リミット板の中には上方に開口した置きチャンバが設置され、前記置きチャンバの中には定位板がスライドできるように装着され、前記置きチャンバの前後両側内壁には補助チャンバが連通して設置され、前後の前記補助チャンバの間には補助ロッドがスライドできるように係合装着され、前記補助ロッドと前記定位板とが固定的に連結され、前記定位板の左側端面には植え込みブロックが回転できるように装着され、前記固定ブロックの中には巻きロッドが回転できるように装着され、前記巻きロッドの左側端面にはクランクハンドルが固定的に装着され、前記巻きロッドの右側端面の中には右方に開口した挿入溝が設置され、前記挿入溝と前記植え込みブロックとが植え込むように係合され、シャツを巻く時、前記割竹によりシャツを前記巻きロッドに巻き付けることができ、前記クランクハンドルを回転させ、前記巻きロッドを回転連動させ、それによりシャツが巻き上げられ、前記定位板を抜き出した後に前記置きチャンバの中に置き、シャツを取り出せ、前記置き板の下方にはシャツの袖を折り畳むことができる折畳機構が設置され、前記折畳機構は前記置き板の下方に設置されるモータ箱を含み、前記モータ箱の中にはモータチャンバが設置され、前記モータチャンバの中には折り畳むことに動力を提供するモータが置いてあり、前記置き板の左右両側には長さを調節でき、長袖や半袖に対応できる伸縮機構が設置される。
【０００６】
さらなる技術プランには、前記折畳機構はまた前記モータチャンバの上方に連通して設置される移動溝を含み、前記移動溝の中にはラックがスライドできるように装着され、前記移動溝の上下両側にはスライド溝が連通して設置され、前記スライド溝の中にはスライドロッドが左右対称的にスライドできるように装着され、左右の前記スライドロッドと前記ラックとが固定的に装着され、前記モータの上向きの出力軸の頂部端面には動力ロッドが固定的に装着され、前記動力ロッドの頂部端面には第一ギヤが固定的に装着され、前記第一ギヤが前記ラックと噛み合い、前記リミット板の底部端面の中には前記移動溝の頂壁を貫通する折畳ロッドが回転できるように装着され、前記折畳ロッドの底部端面には第二ギヤが固定的に装着され、前記第二ギヤが前記ラックと噛み合い、前記折畳ロッドには固定板が固定的に装着され、前記固定板の中には回転チャンバが設置され、前記置き板の左右両側端面には回転板が固定的に装着され、前記回転板と前記折畳ロッドとが回転できるように係合装着される。
【０００７】
さらなる技術プランには、前記伸縮機構は前記固定板の中に設置される伸縮溝を含み、前記伸縮溝の中には折畳板がスライドできるように係合装着され、前記折畳板の頂部端面には引っ掛かり溝が設置され、前記伸縮溝の頂壁には第二ばねチャンバが連通して設置され、前記第二ばねチャンバの中にはリミットブロックがスライドできるように係合装着され、前記リミットブロックの頂部端面と前記第二ばねチャンバの頂壁との間には第二ばねが固定的に装着され、前記リミットブロックには前記固定板の頂部端面を貫通する引っ掛かりブロックが固定的に装着され、前記引っ掛かりブロックと前記固定板とがスライドできるように係合装着され、前記引っ掛かりブロックの頂部端面には引きブロックが固定的に装着され、前記引っ掛かりブロックが前記引っ掛かり溝に引っ掛かることができる。
【発明の効果】
【０００８】
本発明の有益な効果は：本発明の折畳機構はシャツの袖を折り畳むことができ、シャツを巻く時にシャツの袖を一緒に巻くことを保証でき、巻き終わる後に袖を改めて整理する必要はなく、伸縮機構は折畳板の伸縮する長さを調整でき、それにより異なる長さの袖のシャツに対応することができ、普及する価値がある。
【図面の簡単な説明】
【０００９】
【図１】図１は本発明の構成概略図である；
【図２】図２は図１の中のＡ−Ａ方向の断面構成概略図である；
【図３】図３は図１の中のＢのところの拡大概略図である。
【発明を実施するための形態】
【００１０】
下記図１−３を合わせて、本発明を詳しく説明します。意思の疎通がもっと便利にするため、後文に言及した方位に対して以下の規定を定める：後文に言い及ぶ上下左右前後の方向は図１自体投影関係の上下左右前後の方向と一致している。
【００１１】
図１−３を参照し、本発明の実施例のシャツ巻き器は、置き板２９を含み、前記置き板２９の前側端面には前方に開口した第一ばねチャンバ４２が設置され、前記第一ばねチャンバ４２の中には連結ブロック４０がスライドできるように係合装着され、前記連結ブロック４０の後側端面と前記第一ばねチャンバ４２の後側内壁との間には第一ばね４１が固定的に装着され、前記連結ブロック４０の前側端面にはシャツを巻き上げることができる割竹３６が固定的に装着され、前記置き板２９の左右両側端面にはリミット板１２が固定的に装着され、左側の前記リミット板１２の頂部端面には固定ブロック３９が固定的に装着され、右側の前記リミット板１２の中には上方に開口した置きチャンバ３０が設置され、前記置きチャンバ３０の中には定位板３３がスライドできるように装着され、前記置きチャンバ３０の前後両側内壁には補助チャンバ３１が連通して設置され、前後の前記補助チャンバ３１の間には補助ロッド３２がスライドできるように係合装着され、前記補助ロッド３２と前記定位板３３とが固定的に連結され、前記定位板３３の左側端面には植え込みブロック３４が回転できるように装着され、前記固定ブロック３９の中には巻きロッド３７が回転できるように装着され、前記巻きロッド３７の左側端面にはクランクハンドル１１が固定的に装着され、前記巻きロッド３７の右側端面の中には右方に開口した挿入溝３５が設置され、前記挿入溝３５と前記植え込みブロック３４とが植え込むように係合され、シャツを巻く時、前記割竹３６によりシャツを前記巻きロッド３７に巻き付けることができ、前記クランクハンドル１１を回転させ、前記巻きロッド３７を回転連動させ、それによりシャツが巻き上げられ、前記定位板３３を抜き出した後に前記置きチャンバ３０の中に置き、シャツを取り出せ、前記置き板２９の下方にはシャツの袖を折り畳むことができる折畳機構７０が設置され、前記折畳機構７０は前記置き板２９の下方に設置されるモータ箱１７を含み、前記モータ箱１７の中にはモータチャンバ２５が設置され、前記モータチャンバ２５の中には折り畳むことに動力を提供するモータ２３が置いてあり、前記置き板２９の左右両側には長さを調節でき、長袖や半袖に対応できる伸縮機構８０が設置される。
【００１２】
前記折畳機構７０はまた前記モータチャンバ２５の上方に連通して設置される移動溝１８を含み、前記移動溝１８の中にはラック２２がスライドできるように装着され、前記移動溝１８の上下両側にはスライド溝１９が連通して設置され、前記スライド溝１９の中にはスライドロッド２１が左右対称的にスライドできるように装着され、左右の前記スライドロッド２１と前記ラック２２とが固定的に装着され、前記モータ２３の上向きの出力軸の頂部端面には動力ロッド２４が固定的に装着され、前記動力ロッド２４の頂部端面には第一ギヤ２６が固定的に装着され、前記第一ギヤ２６が前記ラック２２と噛み合い、前記リミット板１２の底部端面の中には前記移動溝１８の頂壁を貫通する折畳ロッド１６が回転できるように装着され、前記折畳ロッド１６の底部端面には第二ギヤ２０が固定的に装着され、前記第二ギヤ２０が前記ラック２２と噛み合い、前記折畳ロッド１６には固定板４９が固定的に装着され、前記固定板４９の中には回転チャンバ２７が設置され、前記置き板２９の左右両側端面には回転板２８が固定的に装着され、前記回転板２８と前記折畳ロッド１６とが回転できるように係合装着され、それによりシャツを折り畳む時、モータ２３を始動し、動力ロッド２４と第一ギヤ２６とを回転連動させ、第一ギヤ２６が噛み合いによりラック２２を左右に移動させ、ラック２２が左右に移動して第二ギヤ２０を回転連動させ、第二ギヤ２０が回転して折畳ロッド１６を回転連動させ、折畳ロッド１６が回転して固定板４９を回転連動させてシャツの袖を折り畳む。
【００１３】
前記伸縮機構８０は前記固定板４９の中に設置される伸縮溝１３を含み、前記伸縮溝１３の中には折畳板１５がスライドできるように係合装着され、前記折畳板１５の頂部端面には引っ掛かり溝４８が設置され、前記伸縮溝１３の頂壁には第二ばねチャンバ４６が連通して設置され、前記第二ばねチャンバ４６の中にはリミットブロック４７がスライドできるように係合装着され、前記リミットブロック４７の頂部端面と前記第二ばねチャンバ４６の頂壁との間には第二ばね４５が固定的に装着され、前記リミットブロック４７には前記固定板４９の頂部端面を貫通する引っ掛かりブロック４４が固定的に装着され、前記引っ掛かりブロック４４と前記固定板４９とがスライドできるように係合装着され、前記引っ掛かりブロック４４の頂部端面には引きブロック４３が固定的に装着され、前記引っ掛かりブロック４４が前記引っ掛かり溝４８に引っ掛かることができ、それにより折畳板１５の伸縮する長さを調整する時、引きブロック４３を引き、それにより引っ掛かりブロック４４が引っ掛かり溝４８から離脱し、折畳板１５を引き動かし、伸縮する長さを調整する。
【００１４】
本装置を使用し、シャツを折り畳む時、モータ２３を始動し、動力ロッド２４と第一ギヤ２６とを回転連動させ、第一ギヤ２６が噛み合いによりラック２２を左右に移動させ、ラック２２が左右に移動して第二ギヤ２０を回転連動させ、第二ギヤ２０が回転して折畳ロッド１６を回転連動させ、折畳ロッド１６が回転して固定板４９を回転連動させてシャツの袖を折り畳み、折畳板１５の伸縮する長さを調整する時、引きブロック４３を引き、それにより引っ掛かりブロック４４が引っ掛かり溝４８から離脱し、折畳板１５を引き動かし、伸縮する長さを調整し、シャツを巻く時、割竹３６によりシャツを巻きロッド３７に巻き付けることができ、クランクハンドル１１を回転させ、巻きロッド３７を回転連動させ、それによりシャツが巻き上げられ、定位板３３を取り出した後に置きチャンバ３０の中に置き、シャツを取り出すことができる。
【００１５】
本発明の有益な効果は：本発明の折畳機構はシャツの袖を折り畳むことができ、シャツを巻く時にシャツの袖を一緒に巻くことを保証でき、巻き終わる後に袖を改めて整理する必要はなく、伸縮機構は折畳板の伸縮する長さを調整でき、それにより異なる長さの袖のシャツに対応することができ、普及する価値がある。
【００１６】
当業者は明確できるのは、本発明の総体精神及び構想から離脱しない限り、以上の実施例に対して各種の変型を行うことができる。それらの変型はいずれも本発明の保護範囲に含む。本発明の保護方案は発明に添付された特許請求の範囲を基準とするべきである。
【図１】
2020153049.tif 000003
【図２】
2020153049.tif 000004
【図３】
2020153049.tif 000005
【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
広げた状態のシャツを置ける置き板を含み、前記置き板の前側端面には前方に開口した第一ばねチャンバが設置され、前記第一ばねチャンバの中には連結ブロックがスライドできるように係合装着され、前記連結ブロックの後側端面と前記第一ばねチャンバの後側内壁との間には第一ばねが固定的に装着され、前記連結ブロックの前側端面にはシャツを巻き上げることができる割竹が固定的に装着され、前記置き板の左右両側端面にはリミット板が固定的に装着され、左側の前記リミット板の頂部端面には固定ブロックが固定的に装着され、右側の前記リミット板の中には上方に開口した置きチャンバが設置され、前記置きチャンバの中には定位板がスライドできるように装着され、前記置きチャンバの前後両側内壁には補助チャンバが連通して設置され、前後の前記補助チャンバの間には補助ロッドがスライドできるように係合装着され、前記補助ロッドと前記定位板とが固定的に連結され、前記定位板の左側端面には植え込みブロックが回転できるように装着され、前記固定ブロックの中には巻きロッドが回転できるように装着され、前記巻きロッドの左側端面にはクランクハンドルが固定的に装着され、前記巻きロッドの右側端面の中には右方に開口した挿入溝が設置され、前記挿入溝と前記植え込みブロックとが植え込むように係合され、シャツを巻く時、前記割竹は半円形に構成されているため、前記巻きロッドが回転する時、前記巻きロッドに巻き付いたシャツを上に移動連動させて前記割竹のうち前記巻きロッドに近接した側の端面と当接させ、更に前記巻きロッドを上に移動しながら回転させ、前記シャツをもっと順調に前記巻きロッドに巻き、使用者は前記クランクハンドルを回転させ、前記巻きロッドを回転連動させ、それによりシャツが巻き上げられ、この時回転している前記巻きロッドは前記植え込みブロックを回転連動させることができ、前記定位板を前記挿入溝から取り出し、また前記定位板を時計回りに前記置きチャンバの中に回せばシャツを取り出すことができ、前記置き板の下方にはシャツの袖を折り畳むことができる折畳機構が設置され、前記折畳機構は前記置き板の下方に設置されるモータ箱を含み、前記モータ箱の中にはモータチャンバが設置され、前記モータチャンバの中には折り畳むことに動力を提供するモータが置いてあり、前記置き板の左右両側には長さを調節でき、長袖や半袖に対応できる伸縮機構が設置され、
前記折畳機構はまた前記モータチャンバの上方に連通して設置される移動溝を含み、前記移動溝の中にはラックがスライドできるように装着され、前記移動溝の上下両側にはスライド溝が連通して設置され、前記スライド溝の中にはスライドロッドが左右対称的にスライドできるように装着され、左右の前記スライドロッドと前記ラックとが固定的に装着され、前記モータの上向きの出力軸の頂部端面には動力ロッドが固定的に装着され、前記動力ロッドの頂部端面には第一ギヤが固定的に装着され、前記第一ギヤが前記ラックと噛み合い、前記リミット板の底部端面の中には前記移動溝の頂壁を貫通する折畳ロッドが回転できるように装着され、前記折畳ロッドの底部端面には第二ギヤが固定的に装着され、前記第二ギヤが前記ラックと噛み合い、前記折畳ロッドには固定板が固定的に装着され、前記固定板の中には回転チャンバが設置され、前記置き板の左右両側端面には回転板が固定的に装着され、前記回転板と前記折畳ロッドとが回転できるように係合装着され、それによりシャツを折り畳む時、モータを始動し、動力ロッドと第一ギヤとを回転連動させ、第一ギヤが噛み合いによりラックを左右に移動させ、ラックが左右に移動して第二ギヤを回転連動させ、第二ギヤが回転して折畳ロッドを回転連動させ、折畳ロッドが回転して固定板を回転連動させてシャツの袖を折り畳み、
前記伸縮機構は前記固定板の中に設置される伸縮溝を含み、前記伸縮溝の中には折畳板がスライドできるように係合装着され、前記折畳板の頂部端面には引っ掛かり溝が設置され、前記伸縮溝の頂壁には第二ばねチャンバが連通して設置され、前記第二ばねチャンバの中にはリミットブロックがスライドできるように係合装着され、前記リミットブロックの頂部端面と前記第二ばねチャンバの頂壁との間には第二ばねが固定的に装着され、前記リミットブロックには前記固定板の頂部端面を貫通する引っ掛かりブロックが固定的に装着され、前記引っ掛かりブロックと前記固定板とがスライドできるように係合装着され、前記引っ掛かりブロックの頂部端面には引きブロックが固定的に装着され、前記引っ掛かりブロックが前記引っ掛かり溝に引っ掛かることができ、それにより折畳板の伸縮する長さを調整する時、引きブロックを引き、それにより引っ掛かりブロックが引っ掛かり溝から離脱し、折畳板を引き動かし、伸縮する長さを調整することを特徴とする請求項１に記載のシャツ巻き器。
【手続補正２】
【補正対象書類名】明細書
【補正対象項目名】全文
【補正方法】変更
【補正の内容】
【発明の詳細な説明】
【技術分野】
【０００１】
本発明は巻き器技術分野に関わり、具体的にはシャツ巻き器である。
【背景技術】
【０００２】
旅行する時、携帯に便利なため、普通にシャツを巻いて入れ、スベースを節約でき、普通のシャツ巻き器はシャツを折り畳むだけで、シャツの袖を折り畳むことができなく、そのため、巻いた後のシャツの袖を整理する必要があり、普通の折り畳む機能を持つシャツ巻き器は折畳板の長さを調整できないので、長袖のシャツと半袖のシャツに対応できない。
【先行技術文献】
【特許文献】
【０００３】
【特許文献１】中国特許出願公開第１０９３０３３６６号明細書
【発明の概要】
【発明が解決しようとする課題】
【０００４】
本発明はシャツ巻き器を提供し、既存技術にある上記の欠点を解消することを目的とする。
【課題を解決するための手段】
【０００５】
本発明の実施例のシャツ巻き器は、広げた状態のシャツを置ける置き板を含み、前記置き板の前側端面には前方に開口した第一ばねチャンバが設置され、前記第一ばねチャンバの中には連結ブロックがスライドできるように係合装着され、前記連結ブロックの後側端面と前記第一ばねチャンバの後側内壁との間には第一ばねが固定的に装着され、前記連結ブロックの前側端面にはシャツを巻き上げることができる割竹が固定的に装着され、前記置き板の左右両側端面にはリミット板が固定的に装着され、左側の前記リミット板の頂部端面には固定ブロックが固定的に装着され、右側の前記リミット板の中には上方に開口した置きチャンバが設置され、前記置きチャンバの中には定位板がスライドできるように装着され、前記置きチャンバの前後両側内壁には補助チャンバが連通して設置され、前後の前記補助チャンバの間には補助ロッドがスライドできるように係合装着され、前記補助ロッドと前記定位板とが固定的に連結され、前記定位板の左側端面には植え込みブロックが回転できるように装着され、前記固定ブロックの中には巻きロッドが回転できるように装着され、前記巻きロッドの左側端面にはクランクハンドルが固定的に装着され、前記巻きロッドの右側端面の中には右方に開口した挿入溝が設置され、前記挿入溝と前記植え込みブロックとが植え込むように係合され、シャツを巻く時、前記割竹は半円形に構成されているため、前記巻きロッドが回転する時、前記巻きロッドに巻き付いたシャツを上に移動連動させて前記割竹のうち前記巻きロッドに近接した側の端面と当接させ、更に前記巻きロッドを上に移動しながら回転させ、前記シャツをもっと順調に前記巻きロッドに巻き、使用者は前記クランクハンドルを回転させ、前記巻きロッドを回転連動させ、それによりシャツが巻き上げられ、この時回転している前記巻きロッドは前記植え込みブロックを回転連動させることができ、前記定位板を前記挿入溝から取り出し、また前記定位板を時計回りに前記置きチャンバの中に回せばシャツを取り出すことができ、前記置き板の下方にはシャツの袖を折り畳むことができる折畳機構が設置され、前記折畳機構は前記置き板の下方に設置されるモータ箱を含み、前記モータ箱の中にはモータチャンバが設置され、前記モータチャンバの中には折り畳むことに動力を提供するモータが置いてあり、前記置き板の左右両側には長さを調節でき、長袖や半袖に対応できる伸縮機構が設置される。
【０００６】
さらなる技術プランには、前記折畳機構はまた前記モータチャンバの上方に連通して設置される移動溝を含み、前記移動溝の中にはラックがスライドできるように装着され、前記移動溝の上下両側にはスライド溝が連通して設置され、前記スライド溝の中にはスライドロッドが左右対称的にスライドできるように装着され、左右の前記スライドロッドと前記ラックとが固定的に装着され、前記モータの上向きの出力軸の頂部端面には動力ロッドが固定的に装着され、前記動力ロッドの頂部端面には第一ギヤが固定的に装着され、前記第一ギヤが前記ラックと噛み合い、前記リミット板の底部端面の中には前記移動溝の頂壁を貫通する折畳ロッドが回転できるように装着され、前記折畳ロッドの底部端面には第二ギヤが固定的に装着され、前記第二ギヤが前記ラックと噛み合い、前記折畳ロッドには固定板が固定的に装着され、前記固定板の中には回転チャンバが設置され、前記置き板の左右両側端面には回転板が固定的に装着され、前記回転板と前記折畳ロッドとが回転できるように係合装着される。
【０００７】
さらなる技術プランには、前記伸縮機構は前記固定板の中に設置される伸縮溝を含み、前記伸縮溝の中には折畳板がスライドできるように係合装着され、前記折畳板の頂部端面には引っ掛かり溝が設置され、前記伸縮溝の頂壁には第二ばねチャンバが連通して設置され、前記第二ばねチャンバの中にはリミットブロックがスライドできるように係合装着され、前記リミットブロックの頂部端面と前記第二ばねチャンバの頂壁との間には第二ばねが固定的に装着され、前記リミットブロックには前記固定板の頂部端面を貫通する引っ掛かりブロックが固定的に装着され、前記引っ掛かりブロックと前記固定板とがスライドできるように係合装着され、前記引っ掛かりブロックの頂部端面には引きブロックが固定的に装着され、前記引っ掛かりブロックが前記引っ掛かり溝に引っ掛かることができる。
【発明の効果】
【０００８】
本発明の有益な効果は：本発明の折畳機構はシャツの袖を折り畳むことができ、シャツを巻く時にシャツの袖を一緒に巻くことを保証でき、巻き終わる後に袖を改めて整理する必要はなく、伸縮機構は折畳板の伸縮する長さを調整でき、それにより異なる長さの袖のシャツに対応することができ、普及する価値がある。
【図面の簡単な説明】
【０００９】
【図１】図１は本発明の構成概略図
【図２】図２は図１の中のＡ−Ａ方向の断面構成概略図
【図３】図３は図１の中のＢのところの拡大概略図
【発明を実施するための形態】
【００１０】
下記図１−３を合わせて、本発明を詳しく説明します。意思の疎通がもっと便利にするため、後文に言及した方位に対して以下の規定を定める：後文に言い及ぶ上下左右前後の方向は図１自体投影関係の上下左右前後の方向と一致している。
【００１１】
図１−３を参照し、本発明の実施例のシャツ巻き器は、広げた状態のシャツを置ける置き板２９を含み、前記置き板２９の前側端面には前方に開口した第一ばねチャンバ４２が設置され、前記第一ばねチャンバ４２の中には連結ブロック４０がスライドできるように係合装着され、前記連結ブロック４０の後側端面と前記第一ばねチャンバ４２の後側内壁との間には第一ばね４１が固定的に装着され、前記連結ブロック４０の前側端面にはシャツを巻き上げることができる割竹３６が固定的に装着され、前記置き板２９の左右両側端面にはリミット板１２が固定的に装着され、左側の前記リミット板１２の頂部端面には固定ブロック３９が固定的に装着され、右側の前記リミット板１２の中には上方に開口した置きチャンバ３０が設置され、前記置きチャンバ３０の中には定位板３３がスライドできるように装着され、前記置きチャンバ３０の前後両側内壁には補助チャンバ３１が連通して設置され、前後の前記補助チャンバ３１の間には補助ロッド３２がスライドできるように係合装着され、前記補助ロッド３２と前記定位板３３とが固定的に連結され、前記定位板３３の左側端面には植え込みブロック３４が回転できるように装着され、前記固定ブロック３９の中には巻きロッド３７が回転できるように装着され、前記巻きロッド３７の左側端面にはクランクハンドル１１が固定的に装着され、前記巻きロッド３７の右側端面の中には右方に開口した挿入溝３５が設置され、前記挿入溝３５と前記植え込みブロック３４とが植え込むように係合され、シャツを巻く時、前記割竹３６は半円形に構成されているため、前記巻きロッド３７が回転する時、前記巻きロッド３７に巻き付いたシャツを上に移動連動させて前記割竹３６のうち前記巻きロッド３７に近接した側の端面と当接させ、更に前記巻きロッド３７を上に移動しながら回転させ、前記シャツをもっと順調に前記巻きロッド３７に巻き、使用者は前記クランクハンドル１１を回転させ、前記巻きロッド３７を回転連動させ、それによりシャツが巻き上げられ、この時回転している前記巻きロッド３７は前記植え込みブロック３４を回転連動させることができ、前記定位板３３を前記挿入溝３５から取り出し、また前記定位板３３を時計回りに前記置きチャンバ３０の中に回せばシャツを取り出すことができ、前記置き板２９の下方にはシャツの袖を折り畳むことができる折畳機構７０が設置され、前記折畳機構７０は前記置き板２９の下方に設置されるモータ箱１７を含み、前記モータ箱１７の中にはモータチャンバ２５が設置され、前記モータチャンバ２５の中には折り畳むことに動力を提供するモータ２３が置いてあり、前記置き板２９の左右両側には長さを調節でき、長袖や半袖に対応できる伸縮機構８０が設置される。
【００１２】
前記折畳機構７０はまた前記モータチャンバ２５の上方に連通して設置される移動溝１８を含み、前記移動溝１８の中にはラック２２がスライドできるように装着され、前記移動溝１８の上下両側にはスライド溝１９が連通して設置され、前記スライド溝１９の中にはスライドロッド２１が左右対称的にスライドできるように装着され、左右の前記スライドロッド２１と前記ラック２２とが固定的に装着され、前記モータ２３の上向きの出力軸の頂部端面には動力ロッド２４が固定的に装着され、前記動力ロッド２４の頂部端面には第一ギヤ２６が固定的に装着され、前記第一ギヤ２６が前記ラック２２と噛み合い、前記リミット板１２の底部端面の中には前記移動溝１８の頂壁を貫通する折畳ロッド１６が回転できるように装着され、前記折畳ロッド１６の底部端面には第二ギヤ２０が固定的に装着され、前記第二ギヤ２０が前記ラック２２と噛み合い、前記折畳ロッド１６には固定板４９が固定的に装着され、前記固定板４９の中には回転チャンバ２７が設置され、前記置き板２９の左右両側端面には回転板２８が固定的に装着され、前記回転板２８と前記折畳ロッド１６とが回転できるように係合装着され、それによりシャツを折り畳む時、モータ２３を始動し、動力ロッド２４と第一ギヤ２６とを回転連動させ、第一ギヤ２６が噛み合いによりラック２２を左右に移動させ、ラック２２が左右に移動して第二ギヤ２０を回転連動させ、第二ギヤ２０が回転して折畳ロッド１６を回転連動させ、折畳ロッド１６が回転して固定板４９を回転連動させてシャツの袖を折り畳む。
【００１３】
前記伸縮機構８０は前記固定板４９の中に設置される伸縮溝１３を含み、前記伸縮溝１３の中には折畳板１５がスライドできるように係合装着され、前記折畳板１５の頂部端面には引っ掛かり溝４８が設置され、前記伸縮溝１３の頂壁には第二ばねチャンバ４６が連通して設置され、前記第二ばねチャンバ４６の中にはリミットブロック４７がスライドできるように係合装着され、前記リミットブロック４７の頂部端面と前記第二ばねチャンバ４６の頂壁との間には第二ばね４５が固定的に装着され、前記リミットブロック４７には前記固定板４９の頂部端面を貫通する引っ掛かりブロック４４が固定的に装着され、前記引っ掛かりブロック４４と前記固定板４９とがスライドできるように係合装着され、前記引っ掛かりブロック４４の頂部端面には引きブロック４３が固定的に装着され、前記引っ掛かりブロック４４が前記引っ掛かり溝４８に引っ掛かることができ、それにより折畳板１５の伸縮する長さを調整する時、引きブロック４３を引き、それにより引っ掛かりブロック４４が引っ掛かり溝４８から離脱し、折畳板１５を引き動かし、伸縮する長さを調整する。
【００１４】
本装置を使用し、シャツを折り畳む時、モータ２３を始動し、動力ロッド２４と第一ギヤ２６とを回転連動させ、第一ギヤ２６が噛み合いによりラック２２を左右に移動させ、ラック２２が左右に移動して第二ギヤ２０を回転連動させ、第二ギヤ２０が回転して折畳ロッド１６を回転連動させ、折畳ロッド１６が回転して固定板４９を回転連動させてシャツの袖を折り畳み、折畳板１５の伸縮する長さを調整する時、引きブロック４３を引き、それにより引っ掛かりブロック４４が引っ掛かり溝４８から離脱し、折畳板１５を引き動かし、伸縮する長さを調整し、シャツを巻く時、前記割竹３６は半円形に構成されているため、前記巻きロッド３７が回転する時、前記巻きロッド３７に巻き付いたシャツを上に移動連動させて前記割竹３６のうち前記巻きロッド３７に近接した側の端面と当接させ、更に前記巻きロッド３７を上に移動しながら回転させ、前記シャツをもっと順調に前記巻きロッド３７に巻き、使用者はクランクハンドル１１を回転させ、巻きロッド３７を回転連動させ、それによりシャツが巻き上げられ、この時回転している前記巻きロッド３７は前記植え込みブロック３４を回転連動させることができ、前記定位板３３を前記挿入溝３５から取り出し、また前記定位板３３を時計回りに前記置きチャンバ３０の中に回せばシャツを取り出すことができ、。
【００１５】
本発明の有益な効果は：本発明の折畳機構はシャツの袖を折り畳むことができ、シャツを巻く時にシャツの袖を一緒に巻くことを保証でき、巻き終わる後に袖を改めて整理する必要はなく、伸縮機構は折畳板の伸縮する長さを調整でき、それにより異なる長さの袖のシャツに対応することができ、普及する価値がある。
【００１６】
当業者は明確できるのは、本発明の総体精神及び構想から離脱しない限り、以上の実施例に対して各種の変型を行うことができる。それらの変型はいずれも本発明の保護範囲に含む。本発明の保護方案は発明に添付された特許請求の範囲を基準とするべきである。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
広げた状態のシャツを置ける置き板を含み、前記置き板の前側端面には前方に開口した第一ばねチャンバが設置され、前記第一ばねチャンバの中には連結ブロックがスライドできるように係合装着され、前記連結ブロックの後側端面と前記第一ばねチャンバの後側内壁との間には第一ばねが固定的に装着され、前記連結ブロックの前側端面にはシャツを巻き上げることができる割竹が固定的に装着され、前記置き板の左右両側端面にはリミット板が固定的に装着され、左側の前記リミット板の頂部端面には固定ブロックが固定的に装着され、右側の前記リミット板の中には上方に開口した置きチャンバが設置され、前記置きチャンバの中には定位板がスライドできるように装着され、前記置きチャンバの前後両側内壁には補助チャンバが連通して設置され、前後の前記補助チャンバの間には補助ロッドがスライドできるように係合装着され、前記補助ロッドと前記定位板とが固定的に連結され、前記定位板の左側端面には植え込みブロックが回転できるように装着され、前記固定ブロックの中には巻きロッドが回転できるように装着され、前記巻きロッドの左側端面にはクランクハンドルが固定的に装着され、前記巻きロッドの右側端面の中には右方に開口した挿入溝が設置され、前記挿入溝と前記植え込みブロックとが植え込むように係合され、シャツを巻く時、前記割竹は半円形に構成されているため、前記巻きロッドが回転する時、前記巻きロッドに巻き付いたシャツを上に移動連動させて前記割竹のうち前記巻きロッドに近接した側の端面と当接させ、更に前記巻きロッドを回転させ、前記シャツを上に移動させながら、前記シャツをもっと順調に前記巻きロッドに巻き、使用者は前記クランクハンドルを回転させ、前記巻きロッドを回転連動させ、それによりシャツが巻き上げられ、この時回転している前記巻きロッドは前記植え込みブロックを回転連動させることができ、前記定位板を前記挿入溝から取り出し、また前記定位板を時計回りに前記置きチャンバの中に回せばシャツを取り出すことができ、前記置き板の下方にはシャツの袖を折り畳むことができる折畳機構が設置され、前記折畳機構は前記置き板の下方に設置されるモータ箱を含み、前記モータ箱の中にはモータチャンバが設置され、前記モータチャンバの中には折り畳むことに動力を提供するモータが置いてあり、前記置き板の左右両側には長さを調節でき、長袖や半袖に対応できる伸縮機構が設置され、
前記折畳機構はまた前記モータチャンバの上方に連通して設置される移動溝を含み、前記移動溝の中にはラックがスライドできるように装着され、前記移動溝の上下両側にはスライド溝が連通して設置され、前記スライド溝の中にはスライドロッドが左右対称的にスライドできるように装着され、左右の前記スライドロッドと前記ラックとが固定的に装着され、前記モータの上向きの出力軸の頂部端面には動力ロッドが固定的に装着され、前記動力ロッドの頂部端面には第一ギヤが固定的に装着され、前記第一ギヤが前記ラックと噛み合い、前記リミット板の底部端面の中には前記移動溝の頂壁を貫通する折畳ロッドが回転できるように装着され、前記折畳ロッドの底部端面には第二ギヤが固定的に装着され、前記第二ギヤが前記ラックと噛み合い、前記折畳ロッドには固定板が固定的に装着され、前記固定板の中には回転チャンバが設置され、前記置き板の左右両側端面には回転板が固定的に装着され、前記回転板と前記折畳ロッドとが回転できるように係合装着され、それによりシャツを折り畳む時、モータを始動し、動力ロッドと第一ギヤとを回転連動させ、第一ギヤが噛み合いによりラックを左右に移動させ、ラックが左右に移動して第二ギヤを回転連動させ、第二ギヤが回転して折畳ロッドを回転連動させ、折畳ロッドが回転して固定板を回転連動させてシャツの袖を折り畳み、
前記伸縮機構は前記固定板の中に設置される伸縮溝を含み、前記伸縮溝の中には折畳板がスライドできるように係合装着され、前記折畳板の頂部端面には引っ掛かり溝が設置され、前記伸縮溝の頂壁には第二ばねチャンバが連通して設置され、前記第二ばねチャンバの中にはリミットブロックがスライドできるように係合装着され、前記リミットブロックの頂部端面と前記第二ばねチャンバの頂壁との間には第二ばねが固定的に装着され、前記リミットブロックには前記固定板の頂部端面を貫通する引っ掛かりブロックが固定的に装着され、前記引っ掛かりブロックと前記固定板とがスライドできるように係合装着され、前記引っ掛かりブロックの頂部端面には引きブロックが固定的に装着され、前記引っ掛かりブロックが前記引っ掛かり溝に引っ掛かることができ、それにより折畳板の伸縮する長さを調整する時、引きブロックを引き、それにより引っ掛かりブロックが引っ掛かり溝から離脱し、折畳板を引き動かし、伸縮する長さを調整することを特徴とするシャツ巻き器。
【手続補正２】
【補正対象書類名】明細書
【補正対象項目名】全文
【補正方法】変更
【補正の内容】
【発明の詳細な説明】
【技術分野】
【０００１】
本発明は巻き器技術分野に関わり、具体的にはシャツ巻き器である。
【背景技術】
【０００２】
旅行する時、携帯に便利なため、普通にシャツを巻いて入れ、スベースを節約でき、普通のシャツ巻き器はシャツを折り畳むだけで、シャツの袖を折り畳むことができなく、そのため、巻いた後のシャツの袖を整理する必要があり、普通の折り畳む機能を持つシャツ巻き器は折畳板の長さを調整できないので、長袖のシャツと半袖のシャツに対応できない。
【先行技術文献】
【特許文献】
【０００３】
【特許文献１】中国特許出願公開第１０９３０３３６６号明細書
【発明の概要】
【発明が解決しようとする課題】
【０００４】
本発明はシャツ巻き器を提供し、既存技術にある上記の欠点を解消することを目的とする。
【課題を解決するための手段】
【０００５】
本発明の実施例のシャツ巻き器は、広げた状態のシャツを置ける置き板を含み、前記置き板の前側端面には前方に開口した第一ばねチャンバが設置され、前記第一ばねチャンバの中には連結ブロックがスライドできるように係合装着され、前記連結ブロックの後側端面と前記第一ばねチャンバの後側内壁との間には第一ばねが固定的に装着され、前記連結ブロックの前側端面にはシャツを巻き上げることができる割竹が固定的に装着され、前記置き板の左右両側端面にはリミット板が固定的に装着され、左側の前記リミット板の頂部端面には固定ブロックが固定的に装着され、右側の前記リミット板の中には上方に開口した置きチャンバが設置され、前記置きチャンバの中には定位板がスライドできるように装着され、前記置きチャンバの前後両側内壁には補助チャンバが連通して設置され、前後の前記補助チャンバの間には補助ロッドがスライドできるように係合装着され、前記補助ロッドと前記定位板とが固定的に連結され、前記定位板の左側端面には植え込みブロックが回転できるように装着され、前記固定ブロックの中には巻きロッドが回転できるように装着され、前記巻きロッドの左側端面にはクランクハンドルが固定的に装着され、前記巻きロッドの右側端面の中には右方に開口した挿入溝が設置され、前記挿入溝と前記植え込みブロックとが植え込むように係合され、シャツを巻く時、前記割竹は半円形に構成されているため、前記巻きロッドが回転する時、前記巻きロッドに巻き付いたシャツを上に移動連動させて前記割竹のうち前記巻きロッドに近接した側の端面と当接させ、更に前記巻きロッドを回転させ、前記シャツを上に移動させながら、前記シャツをもっと順調に前記巻きロッドに巻き、使用者は前記クランクハンドルを回転させ、前記巻きロッドを回転連動させ、それによりシャツが巻き上げられ、この時回転している前記巻きロッドは前記植え込みブロックを回転連動させることができ、前記定位板を前記挿入溝から取り出し、また前記定位板を時計回りに前記置きチャンバの中に回せばシャツを取り出すことができ、前記置き板の下方にはシャツの袖を折り畳むことができる折畳機構が設置され、前記折畳機構は前記置き板の下方に設置されるモータ箱を含み、前記モータ箱の中にはモータチャンバが設置され、前記モータチャンバの中には折り畳むことに動力を提供するモータが置いてあり、前記置き板の左右両側には長さを調節でき、長袖や半袖に対応できる伸縮機構が設置される。
【０００６】
さらなる技術プランには、前記折畳機構はまた前記モータチャンバの上方に連通して設置される移動溝を含み、前記移動溝の中にはラックがスライドできるように装着され、前記移動溝の上下両側にはスライド溝が連通して設置され、前記スライド溝の中にはスライドロッドが左右対称的にスライドできるように装着され、左右の前記スライドロッドと前記ラックとが固定的に装着され、前記モータの上向きの出力軸の頂部端面には動力ロッドが固定的に装着され、前記動力ロッドの頂部端面には第一ギヤが固定的に装着され、前記第一ギヤが前記ラックと噛み合い、前記リミット板の底部端面の中には前記移動溝の頂壁を貫通する折畳ロッドが回転できるように装着され、前記折畳ロッドの底部端面には第二ギヤが固定的に装着され、前記第二ギヤが前記ラックと噛み合い、前記折畳ロッドには固定板が固定的に装着され、前記固定板の中には回転チャンバが設置され、前記置き板の左右両側端面には回転板が固定的に装着され、前記回転板と前記折畳ロッドとが回転できるように係合装着される。
【０００７】
さらなる技術プランには、前記伸縮機構は前記固定板の中に設置される伸縮溝を含み、前記伸縮溝の中には折畳板がスライドできるように係合装着され、前記折畳板の頂部端面には引っ掛かり溝が設置され、前記伸縮溝の頂壁には第二ばねチャンバが連通して設置され、前記第二ばねチャンバの中にはリミットブロックがスライドできるように係合装着され、前記リミットブロックの頂部端面と前記第二ばねチャンバの頂壁との間には第二ばねが固定的に装着され、前記リミットブロックには前記固定板の頂部端面を貫通する引っ掛かりブロックが固定的に装着され、前記引っ掛かりブロックと前記固定板とがスライドできるように係合装着され、前記引っ掛かりブロックの頂部端面には引きブロックが固定的に装着され、前記引っ掛かりブロックが前記引っ掛かり溝に引っ掛かることができる。
【発明の効果】
【０００８】
本発明の有益な効果は：本発明の折畳機構はシャツの袖を折り畳むことができ、シャツを巻く時にシャツの袖を一緒に巻くことを保証でき、巻き終わる後に袖を改めて整理する必要はなく、伸縮機構は折畳板の伸縮する長さを調整でき、それにより異なる長さの袖のシャツに対応することができ、普及する価値がある。
【図面の簡単な説明】
【０００９】
【図１】図１は本発明の構成概略図
【図２】図２は図１の中のＡ−Ａ方向の断面構成概略図
【図３】図３は図１の中のＢのところの拡大概略図
【発明を実施するための形態】
【００１０】
下記図１−３を合わせて、本発明を詳しく説明します。意思の疎通がもっと便利にするため、後文に言及した方位に対して以下の規定を定める：後文に言い及ぶ上下左右前後の方向は図１自体投影関係の上下左右前後の方向と一致している。
【００１１】
図１−３を参照し、本発明の実施例のシャツ巻き器は、広げた状態のシャツを置ける置き板２９を含み、前記置き板２９の前側端面には前方に開口した第一ばねチャンバ４２が設置され、前記第一ばねチャンバ４２の中には連結ブロック４０がスライドできるように係合装着され、前記連結ブロック４０の後側端面と前記第一ばねチャンバ４２の後側内壁との間には第一ばね４１が固定的に装着され、前記連結ブロック４０の前側端面にはシャツを巻き上げることができる割竹３６が固定的に装着され、前記置き板２９の左右両側端面にはリミット板１２が固定的に装着され、左側の前記リミット板１２の頂部端面には固定ブロック３９が固定的に装着され、右側の前記リミット板１２の中には上方に開口した置きチャンバ３０が設置され、前記置きチャンバ３０の中には定位板３３がスライドできるように装着され、前記置きチャンバ３０の前後両側内壁には補助チャンバ３１が連通して設置され、前後の前記補助チャンバ３１の間には補助ロッド３２がスライドできるように係合装着され、前記補助ロッド３２と前記定位板３３とが固定的に連結され、前記定位板３３の左側端面には植え込みブロック３４が回転できるように装着され、前記固定ブロック３９の中には巻きロッド３７が回転できるように装着され、前記巻きロッド３７の左側端面にはクランクハンドル１１が固定的に装着され、前記巻きロッド３７の右側端面の中には右方に開口した挿入溝３５が設置され、前記挿入溝３５と前記植え込みブロック３４とが植え込むように係合され、シャツを巻く時、前記割竹３６は半円形に構成されているため、前記巻きロッド３７が回転する時、前記巻きロッド３７に巻き付いたシャツを上に移動連動させて前記割竹３６のうち前記巻きロッド３７に近接した側の端面と当接させ、更に前記巻きロッド37を回転させ、前記シャツを上に移動させながら、前記シャツをもっと順調に前記巻きロッド３７に巻き、使用者は前記クランクハンドル１１を回転させ、前記巻きロッド３７を回転連動させ、それによりシャツが巻き上げられ、この時回転している前記巻きロッド３７は前記植え込みブロック３４を回転連動させることができ、前記定位板３３を前記挿入溝３５から取り出し、また前記定位板３３を時計回りに前記置きチャンバ３０の中に回せばシャツを取り出すことができ、前記置き板２９の下方にはシャツの袖を折り畳むことができる折畳機構７０が設置され、前記折畳機構７０は前記置き板２９の下方に設置されるモータ箱１７を含み、前記モータ箱１７の中にはモータチャンバ２５が設置され、前記モータチャンバ２５の中には折り畳むことに動力を提供するモータ２３が置いてあり、前記置き板２９の左右両側には長さを調節でき、長袖や半袖に対応できる伸縮機構８０が設置される。
【００１２】
前記折畳機構７０はまた前記モータチャンバ２５の上方に連通して設置される移動溝１８を含み、前記移動溝１８の中にはラック２２がスライドできるように装着され、前記移動溝１８の上下両側にはスライド溝１９が連通して設置され、前記スライド溝１９の中にはスライドロッド２１が左右対称的にスライドできるように装着され、左右の前記スライドロッド２１と前記ラック２２とが固定的に装着され、前記モータ２３の上向きの出力軸の頂部端面には動力ロッド２４が固定的に装着され、前記動力ロッド２４の頂部端面には第一ギヤ２６が固定的に装着され、前記第一ギヤ２６が前記ラック２２と噛み合い、前記リミット板１２の底部端面の中には前記移動溝１８の頂壁を貫通する折畳ロッド１６が回転できるように装着され、前記折畳ロッド１６の底部端面には第二ギヤ２０が固定的に装着され、前記第二ギヤ２０が前記ラック２２と噛み合い、前記折畳ロッド１６には固定板４９が固定的に装着され、前記固定板４９の中には回転チャンバ２７が設置され、前記置き板２９の左右両側端面には回転板２８が固定的に装着され、前記回転板２８と前記折畳ロッド１６とが回転できるように係合装着され、それによりシャツを折り畳む時、モータ２３を始動し、動力ロッド２４と第一ギヤ２６とを回転連動させ、第一ギヤ２６が噛み合いによりラック２２を左右に移動させ、ラック２２が左右に移動して第二ギヤ２０を回転連動させ、第二ギヤ２０が回転して折畳ロッド１６を回転連動させ、折畳ロッド１６が回転して固定板４９を回転連動させてシャツの袖を折り畳む。
【００１３】
前記伸縮機構８０は前記固定板４９の中に設置される伸縮溝１３を含み、前記伸縮溝１３の中には折畳板１５がスライドできるように係合装着され、前記折畳板１５の頂部端面には引っ掛かり溝４８が設置され、前記伸縮溝１３の頂壁には第二ばねチャンバ４６が連通して設置され、前記第二ばねチャンバ４６の中にはリミットブロック４７がスライドできるように係合装着され、前記リミットブロック４７の頂部端面と前記第二ばねチャンバ４６の頂壁との間には第二ばね４５が固定的に装着され、前記リミットブロック４７には前記固定板４９の頂部端面を貫通する引っ掛かりブロック４４が固定的に装着され、前記引っ掛かりブロック４４と前記固定板４９とがスライドできるように係合装着され、前記引っ掛かりブロック４４の頂部端面には引きブロック４３が固定的に装着され、前記引っ掛かりブロック４４が前記引っ掛かり溝４８に引っ掛かることができ、それにより折畳板１５の伸縮する長さを調整する時、引きブロック４３を引き、それにより引っ掛かりブロック４４が引っ掛かり溝４８から離脱し、折畳板１５を引き動かし、伸縮する長さを調整する。
【００１４】
本装置を使用し、シャツを折り畳む時、モータ２３を始動し、動力ロッド２４と第一ギヤ２６とを回転連動させ、第一ギヤ２６が噛み合いによりラック２２を左右に移動させ、ラック２２が左右に移動して第二ギヤ２０を回転連動させ、第二ギヤ２０が回転して折畳ロッド１６を回転連動させ、折畳ロッド１６が回転して固定板４９を回転連動させてシャツの袖を折り畳み、折畳板１５の伸縮する長さを調整する時、引きブロック４３を引き、それにより引っ掛かりブロック４４が引っ掛かり溝４８から離脱し、折畳板１５を引き動かし、伸縮する長さを調整し、シャツを巻く時、前記割竹３６は半円形に構成されているため、前記巻きロッド３７が回転する時、前記巻きロッド３７に巻き付いたシャツを上に移動連動させて前記割竹３６のうち前記巻きロッド３７に近接した側の端面と当接させ、更に前記巻きロッド37を回転させ、前記シャツを上に移動させながら、前記シャツをもっと順調に前記巻きロッド３７に巻き、使用者はクランクハンドル１１を回転させ、巻きロッド３７を回転連動させ、それによりシャツが巻き上げられ、この時回転している前記巻きロッド３７は前記植え込みブロック３４を回転連動させることができ、前記定位板３３を前記挿入溝３５から取り出し、また前記定位板３３を時計回りに前記置きチャンバ３０の中に回せばシャツを取り出すことができ、。
【００１５】
本発明の有益な効果は：本発明の折畳機構はシャツの袖を折り畳むことができ、シャツを巻く時にシャツの袖を一緒に巻くことを保証でき、巻き終わる後に袖を改めて整理する必要はなく、伸縮機構は折畳板の伸縮する長さを調整でき、それにより異なる長さの袖のシャツに対応することができ、普及する価値がある。
【００１６】
当業者は明確できるのは、本発明の総体精神及び構想から離脱しない限り、以上の実施例に対して各種の変型を行うことができる。それらの変型はいずれも本発明の保護範囲に含む。本発明の保護方案は発明に添付された特許請求の範囲を基準とするべきである。